(57)【特許請求の範囲】
【請求項１】
エンボス加工された印刷物の外観をシミュレートする方法であって、
ペーパ基板の画像を選択するステップと、
後にエンボス加工されることになるベクタ・アートまたは画像アートを、プロセッサにより、最終印刷物と同一のサイズを有する画像にラスタライズするステップと、
当該プロセッサが、当該画像アートまたはベクタ・アートからエンボス加工用マスクを生成するステップと、
当該プロセッサが、当該マスクを使用して、当該ペーパ基板画像の強度を変調してエンボス加工されたペーパ画像を生成するステップであって、当該エンボス加工されたぺーパ画像が、エンボス加工された画像の視覚結果をシミュレートするステップと、
当該プロセッサが、プリンタを作動させて、エンボス加工用レイヤを作成するのに用いられる元のアートワーク・レイヤを、透明レイヤとして、印刷物基板に適用して、当該印刷物に次元の態様を追加するステップと、
当該プロセッサが、エンボス加工されることのない任意のテキスト・コンテンツおよび画像コンテンツを当該印刷物に追加するステップと、
を備える方法。
【請求項２】
特有ペーパ基板の非白色画像を調整して、前記特有ペーパ基板の領域を明るくしかつ暗くして、通常の表面光反射をシミュレートするように構成されているプロセッサを提供するステップを、当該選択するステップが備える、請求項１に記載の方法。
【請求項３】
当該非白色画像が、象牙色または他の色のペーパを備える、請求項２に記載の方法。
【請求項４】
適切な画像のライブラリから当該画像を選択するステップを更に備える、請求項１に記載の方法。
【請求項５】
当該画像の色相および明度を調整して、広範囲にわたるアルチザン・ペーパ・ストックを再現するように構成されているプロセッサを提供するステップを更に備える、請求項１に記載の方法。
【請求項６】
当該ラスタライズするステップが、エンボス加工されたレイヤについての別個の文書、またはエンボス加工されないテキストとエンボス加工されるコンテンツが選択される画像とを有する完全な文書の何れかに実行される、請求項１に記載の方法。
【請求項７】
当該プロセッサが、所望の照射方向および画素幅に対し、少なくとも3 x 3のカーネルとの畳込みを使用して、当該エンボス加工用マスクを生成するステップを更に備える、請求項１に記載の方法。
【請求項８】
当該プロセッサが、追加フィルタを適用して、より大きいエンボス加工された領域を平滑化し、ペーパ変形の自然な柔らかさをシミュレートするステップを更に備える、請求項１に記載の方法。
【請求項９】
当該プロセッサが、追加フィルタを適用して、前記ベクタ・アートの輪郭をシミュレートするステップを更に備える、請求項１に記載の方法。
【請求項１０】
当該プロセッサが、追加フィルタを適用し、適切な特別の特性のノイズを画素ごとに追加して、ペーパ粗さが増大したと感じる錯覚を生成するステップを更に備える、請求項１に記載の方法。
【請求項１１】
当該プロセッサが、色フィルタを適用して、色光または色インクの照明および反射の何れかをシミュレートするステップを更に備える、請求項１に記載の方法。
【請求項１２】
当該追加フィルタが、微細なアートワークにではなく、筆記体文字に適用されるガウス分布型低域フィルタを備える、請求項８に記載の方法。
【請求項１３】
所望の厚さとなるまで、当該透明レイヤを一回以上適用する、請求項１に記載の方法。
【請求項１４】
透明レイヤを表す赤いマスクを使用して、当該透明レイヤを適用する、請求項１に記載の方法。
【請求項１５】
ペーパ基板の画像を選択するように構成されているプロセッサを備える、エンボス加工された印刷物の外観をシミュレートする装置であって、
当該プロセッサが、後にエンボス加工されることになるベクタ・アートまたは画像アートを、最終印刷物と同一のサイズを有する画像にラスタライズ処理する、ように構成されていて、
当該プロセッサが、当該画像アートまたはベクタ・アートからエンボス加工用マスクを生成する、ように構成されていて、
当該プロセッサが、当該マスクを使用して、当該ペーパ基板画像の強度を変調し、エンボス加工されたペーパ画像を生成し、当該エンボス加工されたぺーパ画像が、エンボス加工された画像の視覚結果をシミュレートする、ように構成されていて、
当該プロセッサが、プリンタを作動させて、エンボス加工用レイヤを作成するのに用いられる元のアートワーク・レイヤを、透明レイヤとして印刷物基板に適用して、当該印刷物に次元の態様を追加する、ように構成されていて、
当該プロセッサが、エンボス加工されることのない任意のテキストおよび画像コンテンツを当該印刷物に追加する、
装置。
【請求項１６】
当該プロセッサが、特有ペーパ基板の非白色画像を調整して、前記特有ペーパ基板の領域を明るくしかつ暗くして、通常の表面光反射をシミュレートする、ように構成されている、請求項１５に記載の装置。
【請求項１７】
当該非白色画像が、象牙色または他の色のペーパを備える、請求項１６に記載の装置。
【請求項１８】
当該プロセッサが、適切な画像のライブラリから当該画像を選択する、ように構成されている、請求項１５に記載の装置。
【請求項１９】
当該プロセッサが、当該画像の色相および明度を調整して、広範囲にわたるアルチザン・ペーパ・ストックを再現する、ように構成されている、請求項１５に記載の装置。
【請求項２０】
当該プロセッサが、エンボス加工されたレイヤについての別個の文書、またはエンボス加工されないテキストとエンボス加工されるコンテンツが選択される画像とを有する完全な文書の何れかに、当該ラスタライズ処理を実行する、ように構成されている、請求項１５に記載の装置。
【請求項２１】
当該プロセッサが、所望の照射方向および画素幅に対し、少なくとも3 x 3のカーネルとの畳込みを使用して、当該エンボス加工用マスクを生成する、ように構成されている、請求項１５に記載の装置。
【請求項２２】
当該プロセッサが、追加フィルタを適用して、より大きいエンボス加工された領域を平滑化し、ペーパ変形の自然な柔らかさをシミュレートする、ように構成されている、請求項１５に記載の装置。
【請求項２３】
当該プロセッサが、追加フィルタを適用して、前記ベクタ・アートの輪郭をシミュレートする、ように構成されている、請求項１５に記載の装置。
【請求項２４】
当該プロセッサが、追加フィルタを適用し、適切な特別の特性のノイズを画素ごとに追加して、ペーパ粗さが増大したと感じる錯覚を生成する、ように構成されている、請求項１５に記載の装置。
【請求項２５】
当該プロセッサが、色フィルタを適用して、色光または色インクの照明および反射の何れかをシミュレートする、ように構成されている、請求項１５に記載の装置。
【請求項２６】
当該色フィルタが、微細なアートワークにではなく、筆記体文字に適用されるガウス分布型低域フィルタを備える、請求項２５に記載の装置。
【請求項２７】
当該プロセッサが、所望の厚さとなるまで、当該透明レイヤを一回以上適用する、ように構成されている、請求項１５に記載の装置。
【請求項２８】
当該プロセッサが、透明レイヤを表す赤いマスクを使用して、当該透明レイヤを適用する、ように構成されている、請求項１５に記載の装置。
【請求項２９】
インプリントされた印刷物の外観をシミュレートする方法であって、
ペーパ基板の画像を選択するステップと、
後にインプリントされることになるベクタ・アートまたは画像アートを、プロセッサにより、最終印刷物と同一のサイズを有する画像にラスタライズするステップと、
当該プロセッサが、当該画像アートまたはベクタ・アートからインプリント用マスクを生成するステップと、
当該プロセッサが、当該マスクを使用して、当該ペーパ基板画像の強度を変調してインプリントされたペーパ画像を生成するステップであって、当該インプリントされたぺーパ画像が、インプリントされた画像の視覚結果をシミュレートするステップと、
当該プロセッサが、プリンタを作動させて、インプリント用レイヤを作成するのに用いられる元のアートワーク・レイヤを、透明レイヤとして、印刷物基板に適用して、当該印刷物に次元の態様を追加するステップと、
当該プロセッサが、インプリントされることのない任意のテキスト・コンテンツおよび画像コンテンツを当該印刷物に追加するステップと、
を備える方法。
【請求項３０】
特有ペーパ基板の非白色画像を調整して、前記特有ペーパ基板の領域を明るくしかつ暗くして、通常の表面光反射をシミュレートするように構成されているプロセッサを提供するステップを、当該選択するステップが備える、請求項２９に記載の方法。
【請求項３１】
当該非白色画像が、象牙色または他の色のペーパを備える、請求項３０に記載の方法。
【請求項３２】
適切な画像のライブラリから当該画像を選択するステップを更に備える、請求項２９に記載の方法。
【請求項３３】
当該画像の色相および明度を調整して、広範囲にわたるアルチザン・ペーパ・ストックを再現するように構成されているプロセッサを提供するステップを更に備える、請求項２９に記載の方法。
【請求項３４】
当該ラスタライズするステップが、インプリントされたレイヤについての別個の文書、またはインプリントされていないテキストとインプリントするコンテンツが選択される画像とを有する完全な文書の何れかに実行される、請求項２９に記載の方法。
【請求項３５】
当該プロセッサが、所望の照射方向および画素幅に対し、少なくとも3 x 3のカーネルとの畳込みを使用して、当該インプリント用マスクを生成するステップを更に備える、請求項２９に記載の方法。
【請求項３６】
当該プロセッサが、追加フィルタを適用して、より大きいインプリントされた領域を平滑化し、ペーパ変形の自然な柔らかさをシミュレートするステップを更に備える、請求項２９に記載の方法。
【請求項３７】
当該プロセッサが、追加フィルタを適用して、前記ベクタ・アートの輪郭をシミュレートするステップを更に備える、請求項２９に記載の方法。
【請求項３８】
当該プロセッサが、追加フィルタを適用し、適切な特別の特性のノイズを画素ごとに追加して、ペーパ粗さが増大したと感じる錯覚を生成するステップを更に備える、請求項２９に記載の方法。
【請求項３９】
当該プロセッサが、色フィルタを適用して、色光または色インクの照明および反射の何れかをシミュレートするステップを更に備える、請求項２９に記載の方法。
【請求項４０】
当該追加フィルタが、微細なアートワークにではなく、筆記体文字に適用されるガウス分布型低域フィルタを備える、請求項３６に記載の方法。
【請求項４１】
所望の厚さになるまで、当該透明レイヤを一回以上適用する、請求項２９に記載の方法。
【請求項４２】
透明レイヤを表す赤いマスクを使用して、当該透明レイヤを適用する、請求項２９に記載の方法。
【請求項４３】
ペーパ基板の画像を選択するように構成されているプロセッサを備える、インプリントされた印刷物の外観をシミュレートする装置であって、
当該プロセッサが、後にインプリントされることになるベクタ・アートまたは画像アートを、最終印刷物と同一のサイズを有する画像にラスタライズ処理をする、ように構成されていて、
当該プロセッサが、当該画像アートまたはベクタ・アートからインプリント用マスクを生成する、ように構成されていて、
当該プロセッサが、当該マスクを使用して、当該ペーパ基板画像の強度を変調し、インプリントされたペーパ画像を生成し、当該インプリントされたぺーパ画像が、インプリントされた画像の視覚結果をシミュレートする、ように構成されていて、
当該プロセッサが、プリンタを作動させて、インプリント用レイヤを作成するのに用いられる元のアートワーク・レイヤを、透明レイヤとして印刷物基板に適用して、当該印刷物に次元の態様を追加する、ように構成されていて、
当該プロセッサが、インプリントされることのない任意のテキストおよび画像コンテンツを当該印刷物に追加する、
装置。
【請求項４４】
当該プロセッサが、特有ペーパ基板の非白色画像を調整して、前記特有ペーパ基板の領域を明るくしかつ暗くして、通常の表面光反射をシミュレートする、ように構成されている、請求項４３に記載の装置。
【請求項４５】
当該非白色画像が、象牙色または他の色のペーパを備える、請求項４４に記載の装置。
【請求項４６】
当該プロセッサが、適切な画像のライブラリから当該画像を選択する、ように構成されている、請求項４３に記載の装置。
【請求項４７】
当該プロセッサが、当該画像の色相および明度を調整して、広範囲にわたるアルチザン・ペーパ・ストックを再現する、ように構成されている、請求項４３に記載の装置。
【請求項４８】
当該プロセッサが、インプリントされたレイヤについての別個の文書、またはインプリントされないテキストとインプリントされるコンテンツが選択される画像とを有する完全な文書の何れかに、当該ラスタライズ処理を実行する、ように構成されている、請求項４３に記載の装置。
【請求項４９】
当該プロセッサが、所望の照射方向および画素幅に対し、少なくとも3 x 3のカーネルとの畳込みを使用して、当該インプリント用マスクを生成する、ように構成されている、請求項４３に記載の装置。
【請求項５０】
当該プロセッサが、追加フィルタを適用して、より大きいインプリントされた領域を平滑化し、ペーパ変形の自然な柔らかさをシミュレートする、ように構成されている、請求項４３に記載の装置。
【請求項５１】
当該プロセッサが、追加フィルタを適用して、前記ベクタ・アートの輪郭をシミュレートする、ように構成されている、請求項４３に記載の装置。
【請求項５２】
当該プロセッサが、追加フィルタを適用し、適切な特別の特性のノイズを画素ごとに追加して、ペーパ粗さが増大したと感じる錯覚を生成する、ように構成されている、請求項４３に記載の装置。
【請求項５３】
当該プロセッサが、色フィルタを適用して、色光または色インクの照明および反射の何れかをシミュレートする、ように構成されている、請求項４３に記載の装置。
【請求項５４】
当該追加フィルタが、微細なアートワークにではなく、筆記体文字に適用されるガウス分布型低域フィルタを備える、請求項５１に記載の装置。
【請求項５５】
当該プロセッサが、所望の厚さとなるまで、当該透明レイヤを一回以上適用する、ように構成されている、請求項４３に記載の装置。
【請求項５６】
当該プロセッサが、透明レイヤを表す赤いマスクを使用して、当該透明レイヤを適用する、ように構成されている、請求項４３に記載の装置。
【発明の詳細な説明】
【技術分野】
【０００１】
本発明は、印刷に関する。特に、本発明は、シミュレートされたエンボス加工およびインプリントに関する。
【背景技術】
【０００２】
エンボス加工印刷は、印刷媒体に凹凸表面をインプリントして、平らな（すなわち、エンボス加工されていない）印刷媒体の表面とは異なる光を反射させるエンボス加工用プレートを作成することを必要とする。エンボス加工は、典型的には、通常、銅または黄銅により形成されている雄型ダイと雌型ダイにより熱および圧力を加えて、印刷媒体の繊維を密着させかつ圧縮することによって行われる。圧力と熱を組合せることにより、画像にはアイロンがかけられてそれが平滑化される一方で、画像のレベルが基板に対して高くなる。印刷では、これは、凸版印刷により行われる。最も一般的なマシンは、クルーゲ(Kluge)凸版印刷機およびハイデルベルク(Heidelberg)凸版印刷機である。印刷媒体にエンボス加工するためのエンボス加工用プレートを作成するために必要となるコストおよび時間は、エンボス加工された文書の製造を高価にする。
【発明の概要】
【０００３】
本発明の実施態様は、透明な乾燥インクまたはスポットニスを適用して、エンボス加工された印刷物の触感を生成することに関係する、エンボス加工された印刷物の外観をシミュレートする画像処理の使用に関する。したがって、本発明は、透明な乾燥インクまたはスポットニスを適用するように構成されているプリンタ以外には、プレートまたは専門機器を必要とせずに、エンボス加工された印刷物の効果をシミュレートする技術を提供する。
【図面の簡単な説明】
【０００４】
【図１】エンボス加工およびインプリントをシミュレートする本発明の技術を示すフロー図である。
【図２】本願に開示される発明の実施に使用される、特有ペーパ基板の非白色画像の例を示す。
【図３】本発明による最終印刷物と同じサイズの画像にラスタライズされる、後にエンボス加工されることになるベクタ・アートまたは画像アートを含む文書の例を示す。
【図４】本発明のエンボス加工用マスクの例を示す。
【図５】より大きいエンボス加工される領域を平滑化するために適用して、本発明のペーパ変形による自然な柔らかさをより念入りにシミュレートすることを可能にする追加フィルタの例を示す。
【図６】図１のアルチザン・ペーパの走査画像の強度を変調して、本発明によるエンボス加工されたペーパの画像を生成するためのマスクの使用の例を示す。
【図７】本発明の透明レイヤを表す赤のマスクを用いた透明レイヤを示す。
【図８】本発明の最終印刷物に追加される、エンボス加工されることのないコンテンツのテキストの例を示す。
【図９】本願に開示された何れかの方法をマシンに実行させる命令の組を実行させることができるコンピュータ・システムの典型的な形態のマシンを表すブロック図である。
【発明を実施するための形態】
【０００５】
本発明の実施態様は、透明な乾燥インクまたはスポットニスを適用して、エンボス加工された印刷物の触感を生成することに関係する、エンボス加工された印刷物の外観をシミュレートする画像処理の使用に関する。したがって、本発明は、透明な乾燥インクまたはスポットニスを適用するように構成されているプリンタ以外には、プレートまたは専門機器を必要とせずに、エンボス加工された印刷物の効果をシミュレートする技術を提供する。
【０００６】
図１は、本発明によるエンボス加工およびインプリントをシミュレートする技術を示すフロー図である。以下の説明において、図２〜８は、図１に示されるステップに関連させて説明する。
【０００７】
エンボス加工された部分の外観をシミュレートするために、本発明の実施態様は、特有ペーパ基板の非白色画像の領域を明るくしかつ暗くして、通常の表面反射光をシミュレートすることから開始される（図１：100）。図２は、本願で開示される本発明の実行に使用される特有ペーパ基板の非白色画像の例を示す。具体的には、象牙色または他の色のペーパの走査画像が、この目的に適する。本発明の実施態様は、適切な画像のライブラリを含み、および／またはオペレータが、色および明度を調整して、広範囲にわたるアルチザン・ペーパ・ストックを再現することを可能にする。
【０００８】
後にエンボス加工されることになるベクタ・アートまたは画像アートを含む文書は、最終印刷物と同じ大きさの画像にラスタライズされる（図１：102）。（ベクタ・グラフィックスとも呼ばれる）ベクタ・アートとは、本願において使用されるテキストおよび線描画の数式記述を表す用語である。ベクタ・グラフィックスには、コンピュータ・グラフィックスで画像を表すための（全て、数式表現に基づいている）点、線、曲線および形状またはポリゴンのような、幾何学的プリミティブが使用される。このコンテキストにおけるベクタは、直線より多くのものを表現する。開放型の仕様であるISO／IEC 14496―22：2009に記載されているようなテキストに対しては、これらを、印刷デバイスの解像度に関係なくさまざまなフォントおよび文字の形状を指定することができるスプラインとすることができる。これは、エンボス加工されたレイヤについての別個の文書か、エンボス加工されないテキストとエンボス加工されるコンテンツが選択される画像とを有する完全な文書の何れかとすることができるであろう。図３は、本発明の最終印刷物と同じサイズの画像にラスタライズされた、後にエンボス加工されることになるベクタ・アートまたは画像アートを含む文書の例を示す。
【０００９】
エンボス加工用マスクは、上述した画像およびベクタ・グラフィックスから生成される（図１：104）。これは、所望の照明方向および指定された画素幅に対し、3 x 3（またはこれ以上）のカーネルとの畳込みを使用して達成することができる。このマスクは、ペーパ・ストックの明度を変調するために生成され、かつストック画像の画素を明るくまたは暗くする画像と考えるべきである。このマスクは、2つの機能を実行する：1）それは、ペーパ・ストック画像の変更する部分を選択し、かつ2）マスクのグレー・レベルは、それが、この部分内で、ペーパ・ストック画像をどの程度明るくまたは暗くするかを制御する。この結果は、図６の大文字「BJ」である。例えば、135度の角度での1画素の畳込みは、カーネル{-1 0 0, 0 0 0, 0 0 1 }から生成される。エンボス加工用アルゴリズムのより良い理解のためには、http://www.catenary.com/howto/emboss.htmlを参照されたい。3 x 3畳み込みカーネルの合計が0であるので、畳込みからは、エッジしか出力されない。左上の-1および右下の1の使用は、ラスタ方向から90＋45度（つまり、135度）にある左上から配置されているエッジを生成する。50％の振幅で12画素の135度を生成する畳み込みカーネルを使用することにより、図４に示されるエンボス加工用マスクの例が得られる。
【００１０】
追加フィルタを適用して、より大きいエンボス加工された領域を平滑にし、ペーパ変形による自然な柔らかさをより綿密にシミュレートすることが出来る（図１：106）。上述した柔らかさ以外の別の効果を生成するために、別のフィルタを適用することも出来る。他のフィルタの例は、ベクタ・グラフィックスの輪郭をシミュレートするエッジ検出、ペーパ粗さが増大したと感じる錯覚を生成する適切な特別特性のノイズの画素ごとの追加、および色光または色インクの照射または反射をシミュレートする色フィルタ、を含むことができる。ガウス分布型低域フィルタは、微細なアートワークではなく、筆記体文字に適用される。一実施態様では、これは、別のマスクによって、またはフィルタが適用される内側とフィルタリングが適用されない外側にX、Y座標の領域を設定することの何れかにより、フィルタが適用される領域を限定することによって、達成させることが出来る。図５は、より大きいエンボス加工された領域を平滑化して、本発明によるペーパ変形の自然な柔らかさをより綿密にシミュレートすることが出来る、追加フィルタの例を示す。
【００１１】
このマスクを使用して、上述したアルチザン・ペーパの走査画像の強度を変調させ、エンボス加工されたペーパの画像を生成することが出来る（図１：108）。本願における考察では、変調とは、ペーパの走査画像に画像マスクを画素ごとに乗算することを意味する。ペーパの走査画像が、走査画像の各画素に対して、RGB色空間内にあると仮定すると、その画素のR、G、およびB構成要素には、このマスクの対応する画素値が乗算される。他の色空間の画像を使用することも出来、かつこれらの空間の明度を変調することは周知である。例えば、このマスクが灰色であると仮定すると、走査されるペーパ画像には1が乗算される（この場合、何の変化も無い）。このマスクが均一な灰色より明るい場合、乗算により、走査されるペーパの明度は増大し、それはより明るくなる。同様に、このマスクが均一な灰色より暗い場合、走査されるペーパの明度は、減少し、それはより暗くなる。図６は、図２のアルチザン・ペーパの走査画像の強度を変調して、本発明によるエンボス加工されたペーパの画像を生成するマスクの使用の例を示す。
【００１２】
ここで、画像は、エンボス加工された画像の視覚の結果をシミュレートするが、実際のエンボス加工の触感は欠いている。図３に示されるエンボス加工用レイヤを作成するために使用される元のアートワーク・レイヤを透明レイヤとして適用することによって、本発明の次元の態様が、加えられる。透明レイヤを一回以上適用することにより、所望の厚さを形成することができる（図１：110）。図７は、本発明の透明レイヤを表す赤いマスクを用いる透明レイヤを示す。この例では、透明レイヤは、図３の画像（すなわち、エンボス加工されるベクタ・アートおよび画像アート）のコピーである。本発明の実施態様では、５層までの透明トナーをサポートするProwler（Xerox Chamonix）エンジンを使用することができるが、MGI Spot Varnish Systemsも使用することができる。この実施態様で記載したプロセスは、コンピュータによって実行される。プリンタは、結果的に得られるビットマップによって決められる透明トナーおよび／またはインクを、CMYK印刷の場合と同様に、しかし透明な５番目の着色剤と共に、適用する。
【００１３】
最後になすべきことは、エンボス加工されるべきでないコンテンツのテキストまたは画像を印刷物に追加することのみである（図１：112）。図８は、エンボス加工されるべきでないコンテンツのテキストが加えられた本発明の最終印刷物の例を示す。
【００１４】
コンピュータによる実施
本願に開示された何れかの方法をマシンに実行させる命令の組を実行させることができるコンピュータ・システム1600の典型的な形態のマシンを表すブロック図である。代替実施態様では、このマシンは、ネットワーク・ルータ、ネットワーク交換機、ネットワーク・ブリッジ、個人情報機器（PDA）、移動電話、ウェブ機器、または実行されるべきアクションを特定する命令のシーケンスを実行するまたは送信することできる任意のマシンを、備えまたは含むことができる。
【００１５】
コンピュータ・システム1600は、バス1608を介して互いに通信する、プロセッサ1602、主メモリ1604および静的メモリ1606を含む。コンピュータ・システム1600は、更に、表示ユニット1610（例えば、液晶式表示装置（LCD）または陰極線管（CRT））を含むことができる。コンピュータ・システム1600は、英数字入力デバイス1612（例えば、キーボード）、カーソル制御デバイス1614（例えば、マウス）、ディスク駆動ユニット1616、信号生成デバイス1618（例えば、スピーカ）およびネットワーク・インタフェース・デバイス1628を含む。
【００１６】
ディスク駆動ユニット1616は、本願明細書において以下に記述される方法の何れか一つまたは全てを実施する一組の実行命令（すなわち、ソフトウェア）1626が格納されているマシン読取可能媒体1624を含む。ソフトウェア1626が、完全にまたは少なくとも部分的に、主メモリ1604および／またはプロセッサ1602内に存在することも図示されている。ソフトウェア1626は、さらに、ネットワーク・インタフェース・デバイス1628によってネットワーク1630を介して送信させまたは受信させることもできる。
【００１７】
上述したシステム1600に対し、別の実施態様は、コンピュータが命令を実行してエンティティを処理する代わりに、論理回路網を使用する。速度、経費、工具費等についての運用上の特定要求に応じて、この論理回路は、何千もの小さい集積トランジスタを有する特定用途向け集積回路（ASIC）を構成することによって実施させることができる。このようなASICは、CMOS（相補型金属酸化膜半導体）、TTL（トランジスタ・トランジスタ論理回路）、VLSI（超LSI）または他の適切な構成によって実施させることができる。他の変形例は、デジタル信号処理チップ（DSP）、（抵抗器、コンデンサ、ダイオード、インダクタおよびトランジスタのような）個別回路、フィールド・プログラマブル・ゲートアレイ（FPGA）、プログラム可能論理アレイ（PLA）、プログラマブル・ロジック・デバイス（PLD）等を含む。
【００１８】
本発明の実施態様は、（コンピュータのCPUのような）ある形態の処理コアに実行される、またはマシンまたはコンピュータ読取り可能な媒体にまたはその媒体内で実施されまたは実現される、ソフトウェア・プログラムまたはソフトウェア・モジュールとして使用される、またはそれらをサポートするものとして使用することができることは理解されるべきである。マシン読み取り可能な媒体は、マシン（例えば、コンピュータ）によって読込める形態で情報を格納または送信するための如何なるメカニズムも含む。例えば、マシン可読媒体は、読取り専用メモリ（ROM）、ランダム・アクセス・メモリ（RAM）、磁気ディスク記憶媒体、光学格納媒体、フラッシュ・メモリ・デバイス、電気・光学・音響または他の形態の（例えば、搬送波、赤外線信号、デジタル信号等の）伝播された信号、または情報の格納または送信に適する任意の他のタイプの媒体を含む。
【００１９】
本発明は、本願においては、好ましい実施態様を参照して記述されているが、当業者は、本発明の精神と範囲から逸脱することなく、他のアプリケーションを、本願に開示されている実施態様の組と置換することができることを容易に認識するであろう。
【００２０】
例えば、本発明の実施態様は、インプリントのプロセスを遂行する技術も提供している。「エンボス加工」という用語は、本願では、ベクタ・アートを周囲のペーパより上に上げる外観を与える技術として定義されているが、「インプリント」という用語は、エンボス加工とは逆の効果を提供し、ベクタ・アートが、周囲のペーパに彫り込まれている外観を与える、本発明の実施態様を意味する。したがって、当業者は、本願において開示される技術は、インプリントにも同様に適用できることを理解するであろう。
【００２１】
したがって、本発明は、添付の請求項によってしか限定されることはない。
【００２２】
（関連出願についての相互参照）
本出願は、2012年8月30日に出願された米国特許出願第13/600,015号および2012年6月19日に出願された米国特許仮出願第61/661,721号の優先権を主張し、これら両方の出願は、参照によって全体として本願明細書に組み込まれている。
【図１】
0005974172.tif 000002
【図２】
0005974172.tif 000003
【図３】
0005974172.tif 000004
【図４】
0005974172.tif 000005
【図５】
0005974172.tif 000006
【図６】
0005974172.tif 000007
【図７】
0005974172.tif 000008
【図８】
0005974172.tif 000009
【図９】
0005974172.tif 000010